(57)【特許請求の範囲】
【請求項１】
内面に発光層を有する直管状の外囲器と、該外囲器の外周面に、そのほぼ全長に亘って互いに離隔して配置された金属部材よりなる帯状の一対の外部電極と、該外囲器の端部から導出され、かつ該外部電極と電気的な接続関係を有するハ−ネスと、該ハ−ネスの導出側の該外囲器の端部に、該ハ−ネスの導出部分が内部に位置するように配置された絶縁性を有するほぼ筒状のインナ−キャップと、該インナ−キャップの内部空間に、該ハ−ネスの導出部分が被覆されるように充実された絶縁性に優れた保護部材とを備え、該インナ−キャップの外周部分に、外囲器軸線方向断面形状が略直角三角形である突起状の係止部、または凹部状の係止部が形成された希ガス放電灯と、
内部空間を有する本体部に、前記希ガス放電灯の前記インナ−キャップの前記係止部に対応する凹部状の係止部、または前記外囲器軸線方向断面形状が略直角三角形である突起状の係止部が形成された、絶縁性を有するアウタ−キャップとを具備し、
前記アウターキャップの前記内部空間に前記インナーキャップが挿入され、かつ、前記インナ−キャップの係止部に前記アウタ−キャップの係止部を係止されることによって、前記希ガス放電灯の前記インナ−キャップが前記アウタ−キャップに固定されている希ガス放電灯装置。
【請求項２】
前記希ガス放電灯の発光層にアパ−チャ部が形成されると共に、前記インナ−キャップ及び前記アウタ−キャップの前記係止部は、該アパ−チャ部に対して所定の位置関係を有するように形成されている、請求項１に記載の希ガス放電灯装置。
【請求項３】
前記アウタ−キャップの前記本体部の前記内部空間は、前記インナ−キャップの外形形状にほぼ一致するように形成されている、請求項２に記載の希ガス放電灯装置。
【発明の詳細な説明】
【０００１】
【発明の属する技術分野】
この発明は希ガス放電灯及び希ガス放電灯装置に関し、特にガラスバルブよりなる外囲器の内面にアパ−チャ部を有する発光層を形成すると共に、外周面に一対の帯状の外部電極を配置し、かつ外囲器の端部にインナ−キャップを装着した希ガス放電灯の改良に関する。
【０００２】
【従来の技術】
従来のこの種の希ガス放電灯は、例えば図１８〜図１９に示すように、ランプ主体Ｌの端部に絶縁性のキャップＨ，Ｈを装着して構成されている。即ち、ランプ主体Ｌにおいて、Ａは例えばガラスバルブなどにて密閉状に構成された直管状の外囲器であって、その内面には希土類蛍光体，ハロリン酸塩蛍光体などの蛍光体よりなる発光層Ｂが形成されている。この発光層Ｂには所定の開口角を有する発光層Ｂを形成しないアパ−チャ部Ｂａがほぼ全長に亘って形成されている。そして、外囲器Ａの封着構造はガラスバルブの端部にディスク状の封着ガラス板を封着して構成されているが、例えば単にガラスバルブを加熱しながら縮径加工し溶断して構成することもできる。尚、この外囲器Ａの密閉空間には水銀などの金属蒸気を含まないキセノン（Ｘｅ），クリプトン（Ｋｒ），ネオン（Ｎｅ），ヘリウム（Ｈｅ）などの希ガスが単一又は混合して所定量封入されている。この外囲器Ａの外周面には金属部材よりなる帯状の一対の外部電極Ｃ，Ｄが互いに所定の間隔だけ離隔して配置（接着）されており、さらに、それらの外周面は、例えば熱収縮性樹脂よりなる保護チュ−ブＥにて被覆されている。又、外部電極Ｃ，Ｄの端部には予め端子Ｆ，Ｆが接続されており、その導出端には外部回路との接続用ハ−ネスＧ，Ｇが接続されている。一方、ランプ主体Ｌの端部には絶縁性のキャップＨ，Ｈが、アパ−チャ部ＢａとキャップＨ，Ｈの取付耳Ｈｂ，Ｈｂとが所定の位置関係となるように装着されている。そして、キャップＨ，Ｈの内部空間Ｈａ，Ｈａには熱可塑性樹脂よりなるホットメルトなどの固定部材Ｊが注入・硬化されており、これによりランプ主体ＬとキャップＨとが固定される。
【０００３】
この希ガス放電灯は、ハ−ネスＧを介して外部電極Ｃ，Ｄに高周波高電圧（例えば２５ＫＨｚで２５００Ｖｏ−ｐ）を印加することにより希ガスの放電が生じ、希ガスの励起線によって発光層Ｂが励起されて発光するものであり、光はアパ−チャ部Ｂａから外部電極Ｃ，Ｄの端部間の開口部を経て外部に放出される。特に、この希ガス放電灯には水銀が用いられていないために、点灯後における光量の立ち上がりが急峻であり、点灯と同時に光量がほぼ１００％近くにまで達するという特徴を有している。このために、ファクシミリ，イメ−ジスキャナ，複写機などのＯＡ機器の原稿読取用の光源として好適するものである。
【０００４】
【発明が解決しようとする課題】
ところで、この希ガス放電灯は、例えば図２０に示すように、原稿照射装置の原稿読取用の光源として使用される。即ち、この原稿照射装置は、希ガス放電灯を組み込み、キャップＨ，Ｈの取付耳Ｈｂ，Ｈｂを取り付け部材に固定した状態において、ランプ主体Ｌから放射された光が所定の原稿面Ｐに投射され、原稿面Ｐからの反射光が例えばＣＣＤなどのラインセンサＳに入射されるように構成されている。
【０００５】
従って、希ガス放電灯は、それが原稿照射装置に取り付けられた状態において、ランプ主体Ｌからの光が所定の原稿面Ｐに投射されるように、ランプ主体Ｌのアパ−チャ部ＢａとキャップＨ，Ｈの取付耳Ｈｂ，Ｈｂとが所定の位置関係になるように構成されている。
【０００６】
これらの位置関係は、ランプ主体Ｌの端部にキャップＨ，Ｈを装着した状態において、手でランプ主体Ｌを時計方向又は反時計方向に回転させ、ランプ主体Ｌのアパ−チャ部ＢａがキャップＨ，Ｈの取付耳Ｈｂ，Ｈｂに対して所定の位置関係になった時点にてキャップ内に固定部材Ｊを注入することにより、ランプ主体ＬとキャップＨ，Ｈとを固定することによって調整（設定）されている。
【０００７】
しかしながら、この位置決め作業はランプ主体Ｌを手作業によって適宜に回転させながら目視によって位置関係が決定されるために、作業能率が低いのみならず、ランプ主体ＬとキャップＨ，Ｈの内部空間Ｈａ，Ｈａとの間にはランプ主体ＬをキャップＨ，Ｈに挿入し易くするための隙間が形成されているために、折角、位置決めしても手を離すと両者の位置関係が崩れてしまう。このために、固定部材Ｊによってランプ主体ＬとキャップＨ，Ｈが固定されるまで支持状態を継続する必要があり、この点からも作業性が低くなるという問題がある。
【０００８】
その上、このようにランプ主体Ｌの端部にキャップＨ，Ｈが固定された希ガス放電灯は予め組み込みが予定された原稿照射装置に対しては同装置の取り付け部材に単にキャップＨ，Ｈを取り付けるだけでアパ−チャ部Ｂａと原稿面Ｐとの位置関係を自動的に設定できるものの、取り付け構造の異なるＯＡ機器に適用する場合には取り付け部材の構造などを変更したりしなければならず、予め定められた以外のＯＡ機器への適用が難しいという問題がある。
【０００９】
かといって、それぞれの機器に適合するアパ−チャ部ＢａとキャップＨ，Ｈとの位置関係を有する希ガス放電灯を製造すればよいのであるが、製造作業が煩雑化し、製造コストが高くなるという問題が発生する。
【００１０】
さらには、原稿照射装置によっては希ガス放電灯のキャップに専用のアウタ−キャップを装着・固定して組み込むことが行われるが、アパ−チャ部Ｂａに対する両者の位置関係の設定が面倒であり、しかもずれ易いという問題もある。
【００１１】
それ故に、本発明の目的は、外囲器の端部に配置されるインナ−キャップ，アウタ−キャップと発光層のアパ−チャ部との位置関係を比較的に精度よく簡単に設定できる希ガス放電灯及び希ガス放電灯装置を提供することにある。
【００１５】
【課題を解決するための手段】
本発明の希ガス放電灯装置は、内面に発光層を有する直管状の外囲器と、外囲器の外周面に、そのほぼ全長に亘って互いに離隔して配置された金属部材よりなる帯状の一対の外部電極と、外囲器の端部から導出され、かつ外部電極と電気的な接続関係を有するハ−ネスと、ハ−ネスの導出側の外囲器の端部に、ハ−ネスの導出部分が内部に位置するように配置された絶縁性を有するほぼ筒状のインナ−キャップと、インナ−キャップの内部空間に、ハ−ネスの導出部分が被覆されるように充実された絶縁性に優れた保護部材とを備え、インナ−キャップの外周部分に、外囲器軸線方向断面形状が略直角三角形である突起状の係止部、または凹部状の係止部が形成された希ガス放電灯と、内部空間を有する本体部に、希ガス放電灯のインナ−キャップの係止部に対応する凹部状の係止部、または外囲器軸線方向断面形状が略直角三角形である突起状の係止部が形成された、絶縁性を有するアウタ−キャップとを具備している。そして、アウターキャップの内部空間にインナーキャップが挿入され、かつ、インナ−キャップの係止部にアウタ−キャップの係止部が係止されることによって、希ガス放電灯のインナ−キャップがアウタ−キャップに固定されている。希ガス放電灯の発光層にアパ−チャ部が形成されると共に、インナ−キャップ及びアウタ−キャップの係止部は、アパ−チャ部に対して所定の位置関係を有するように形成されていてもよい。アウタ−キャップの本体部の内部空間は、インナ−キャップの外形形状にほぼ一致するように形成されていてもよい。
【００１６】
【発明の実施の形態】
次に、本発明にかかる希ガス放電灯の第１の実施例について図１〜図４を参照して説明する。同図において、１は例えばガラスバルブなどにて密閉状に構成された直管状の外囲器であって、その内面には希土類蛍光体，ハロリン酸塩蛍光体などの蛍光体よりなる発光層２が形成されている。この発光層２には所定の開口角を有する発光層２を形成しないアパ−チャ部２ａがほぼ全長に亘って形成されている。そして、外囲器１の封着構造はガラスバルブの端部にディスク状の封着ガラス板１ａを封着して構成されているが、例えば単にガラスバルブを加熱しながら縮径加工し溶断して構成することもできる。尚、この外囲器１の密閉空間には水銀などの金属蒸気を含まないキセノン（Ｘｅ），クリプトン（Ｋｒ），ネオン（Ｎｅ），ヘリウム（Ｈｅ）などの希ガスが単一又は混合して所定量封入されている。
【００１７】
この外囲器１の外周面にはシ−ト構体３が装着（巻回）されている。このシ−ト構体３は、例えば外囲器１の全長とほぼ同程度の長さを有する透光性シ−ト４の一方の面に金属部材よりなる帯状の一対の外部電極５，６を互いに離隔して配置し、かつ外部電極５，６の端部から外部電極部分を外方に向けて延在して端子５Ａ，６Ａを形成して構成されている。外囲器１の外周面にシ−ト構体３が装着された状態において、外部電極５，６の一方の端部間には第１の開口部７が、他方の端部間には第２の開口部８が形成されており、発光層２からの光は主としてアパ−チャ部２ａから第１の開口部７を介して外部に放出される。尚、シ−ト構体３において、透光性シ−ト４及び外部電極５，６の一方の面には接着層９及び接着層９ａが形成されており、外部電極５，６は透光性シ−ト４に接着層９を利用して接着されている。又、透光性シ−ト４としては例えばポリエチレンテレフタレ−ト（ＰＥＴ）樹脂が、外部電極５，６としては例えばアルミニウム箔がそれぞれ好適するが、他の部材を適用することもできる。
【００１８】
又、外部電極５，６の端部から延在して形成された端子５Ａ，６Ａにはハ−ネス１０のリ−ド部１０ａが接続手段１１，１１によって電気的機械的に接続されている。具体的には、外囲器１の全長とほぼ同程度の長さを有する透光性シ−ト４の一方の面に金属部材よりなる帯状の一対の外部電極５，６を互いに離隔して配置し、かつ外部電極５，６の端部から外部電極部分を外方に向けて延在して端子５Ａ，６Ａを形成してなるシ−ト構体３を外囲器の外周面に、外囲器１と透光性シ−ト４との間に外部電極５，６が位置するように巻回すると共に、シ−ト構体３の端子５Ａ，６Ａにハ−ネス１０，１０のリ−ド部１０ａ，１０ａを、圧着を利用した接続手段１１，１１によって電気的機械的に接続されている。
【００１９】
上述の外部電極５，６及び端子５Ａ，６Ａは同一部材、例えばアルミニウム箔にて構成されており、その肉厚はほぼ１０〜１００μｍの範囲に設定されている。例えばアルミニウム箔が硬質の場合には、その肉厚は１０〜５０μｍの範囲に、軟質の場合には、その肉厚は３０〜１００μｍの範囲にそれぞれ設定することが推奨される。ここで、アルミニウム箔並びにその硬質及び軟質は一般的に次のように説明されている。即ち、アルミニウム箔は、日本ではＪＩＳＨ  ４１６０に基づき、６〜２００μｍの厚み範囲をアルミニウム箔と規定されている。又、アルミニウム箔の硬質及び軟質は熱処理の有無により区分されており、圧延上がりの状態のままのものが硬質箔、圧延後に焼鈍したものが軟質箔と呼称されている。
【００２０】
特に、端子５Ａ，６Ａの導出部分の幅は、外部電極５，６の幅より狭く構成されており、この導出部分にはハ−ネス１０，１０のリ−ド部１０ａ，１０ａが有端を含むほぼリング状の接続手段１１，１１を用いて圧着により接続されている。この接続手段１１，１１は、例えば黄銅，ニッケル，ステンレスなどの金属部材よりなるリング状の圧着端子にて構成されており、リング部分に端子５Ａ（又は６Ａ）及びハ−ネス１０のリ−ド部１０ａを重ね合わせた状態で、周知の圧着工具によってリング部分を押し潰すことにより外部電極５，６の端子５Ａ，６Ａとハ−ネス１０のリ−ド部１０ａとが圧着端子１１を介して電気的機械的に接続される。尚、接続手段（圧着端子）１１のリング部分は無端状のリングの他、若干の隙間を有する有端状のリングであってもよい。
【００２１】
上述の端子５Ａ，６Ａとハ−ネス１０，１０との接続部分は、例えば次のように外装されている。即ち、外囲器１の端部には例えば樹脂材，ゴム材，セラミック材などのように絶縁性を有するほぼ筒状のインナ−キャップ１２が、端子５Ａ，６Ａとハ−ネス１０，１０との接続部分を囲繞するように装着されており、その外周部分には互いに離隔して複数の突起状の係止部１３，１３が一体的に形成されている。この係止部１３は、例えば一方（非外囲器側）から他方（外囲器側）に向けて上り勾配を有するほぼ直角三角形状に構成されている。特に、インナ−キャップ１２は外囲器１の端部に、係止部１３，１３とアパ−チャ部２ａとが所定の位置関係（図示例では係止部１３，１３を含む面に対してほぼ直角方向にアパ−チャ部２ａの中心が位置する関係）を有するように装着される。このインナ−キャップ１２の内部空間にはシリコ−ン樹脂などの熱硬化性樹脂，ゴム系部材などのように絶縁性に優れた保護部材１４が充填されている。この保護部材１４としては、硬化後の状態において、ＪＩＳＫ  ７５１５−１９８６「プラスチックのデュロメ−タ硬さ試験方法」に準拠するデュロメ−タＤ硬さが８０以下、好ましくは８０〜３０の範囲に設定されたものが推奨される。尚、インナ−キャップ１２としては若干の柔軟性ないし弾力性を有する樹脂材にて構成することが望ましく、例えばポリカ−ボネイト，ポリブチレンテレフタレ−ト（ＰＢＴ）樹脂が推奨される。
【００２２】
次に、この希ガス放電灯ＤＬの製造方法について図４〜図６を参照して説明する。まず、図４（ａ），（ｂ）に示すように、例えば一方の面に接着層９を有する透光性シ−ト４に一方の面に接着層９ａを有する長尺状の金属部材よりなる外部電極５，６を、外部電極５，６に一体的に形成された端子５Ａ，６Ａが透光性シ−ト４の端部から突出するように重ね合わせて接着することによりシ−ト構体３を製造する。次に、外囲器１をシ−ト構体３における透光性シ−ト４の一端４ａに配置し、他端４ｂに向けて相対的に転動させることにより、外囲器１の外周面にはシ−ト構体３が、透光性シ−ト４によって外部電極５，６が被覆され、かつ端子５Ａ，６Ａの導出部分が露呈されるように巻回されると共に、透光性シ−ト４の一端４ａに他端４ｂが重ね合わされて接着層９によって接着される（図３を参照）。
【００２３】
次に、図５に示すように、外囲器１の端面側に延在されている端子５Ａ（６Ａ）の先端部分に接続手段たる圧着端子１１及びハ−ネス１０を配置する。そして、圧着端子１１のリング部分に端子５Ａを挿入すると共に、ハ−ネス１０のリ−ド部１０ａを端子５Ａに重ね合わせるようにリング部分に挿入する。この状態において、周知の圧着工具（図示せず）を用いて圧着端子１１を圧着することにより、端子５Ａとハ−ネス１０のリ−ド部１０ａとが圧着・接続され、図１に示す接続状態が得られる。次に、図６に示すように、外囲器１の端部側にインナ−キャップ１２を位置させると共に、インナ−キャップ１２の内部にハ−ネス１０，１０を、外囲器側から挿入し非外囲器側の端部から導出させる。この状態において、外囲器１の端部にインナ−キャップ１２を、内部に端子５Ａとハ−ネス１０のリ−ド部１０ａとの接続部分が位置し、かつそれの係止部１３，１３を含む面に対してほぼ直角方向にアパ−チャ部２ａの中心が位置するようにほぼ密着状態で装着し、内部に保護部材１４を充填・硬化させることにより、図１〜図３に示す希ガス放電灯ＤＬが完成する。
【００２４】
この希ガス放電灯ＤＬをＯＡ機器（例えば原稿照射装置）に適用するに先立って、それのインナ−キャップ１２にはアウタ−キャップ１５が、例えば図７〜図９に示すように装着される。このアウタ−キャップ１５は、例えば図９に示すように、内部空間１６ａを有するほぼ筒状の本体部１６と、本体部１６の対向する外周部分に、インナ−キャップ１２の係止部１３，１３に対応するように形成された凹部状（例えば孔）の係止部１７，１７と、本体部１６の外周部分の長手方向に形成された係止溝１８，１８とから構成されており、本体部１６の非開口部側にはホットメルトなどの固定部材の注入孔１６ｂが、本体部１６の係止溝１８，１８間には内部空間１６ａに連通するハ−ネスの導出孔１６ｃがそれぞれ形成されている。尚、アウタ−キャップ１５における本体部１６の内部空間１６ａはインナ−キャップ１２の外形形状とほぼ一致するように構成されている。そして、このアウタ−キャップ１５は希ガス放電灯ＤＬのインナ−キャップ１２に、ハ−ネス１０，１０を導出孔１６ｃから外部に導出した状態で、係止部１３，１３が係止部１７，１７に係止されるように装着される。尚、この状態で、アウタ−キャップ１５の注入孔１６ｂからインナ−キャップ１２とアウタ−キャップ１５との間に存在する空間部にホットメルトなどを注入すれば、両キャップ及びハ−ネスを固定化させることができる。
【００２５】
このように構成された希ガス放電灯装置は、例えば図１０に示すように、原稿照射装置に適用される。即ち、この希ガス放電灯装置は原稿照射装置の取り付け部材に、それに立設された一対のＬ形の係止爪がアウタ−キャップ１５の係止溝１８，１８に挿入・係止されるように装着される。この装着状態において、希ガス放電灯の光軸は自動的に原稿面Ｐに向くことになる。従って、希ガス放電灯のアパ−チャ部２ａから放出された光は原稿面Ｐに照射され、原稿面Ｐでの反射光はラインセンサＳに入射されることによって所定の読み取りが行われる。
【００２６】
この実施例によれば、外囲器１の端部にはインナ−キャップ１２が、それの係止部１３，１３とアパ−チャ部２ａとが所定の位置関係を有するように装着されているために、例えば原稿照射装置などに組み込む場合、それの取り付け部材に係止部１３，１３を利用して取り付けることにより、アパ−チャ部２ａから放出される光は特別の組み込み操作を要することなく、自動的に所望の原稿面Ｐに照射されることになる。従って、精度よく原稿の読み取りを行うことができる。
【００２７】
又、原稿照射装置などに組み込む際にアウタ−キャップ１５を利用する場合には、それの本体部１６の外周部分に突起状の係止部１３，１３に対応する凹部状の係止部１７，１７が形成されているために、インナ−キャップ１２にアウタ−キャップ１５を係止部１３，１３と係止部１７，１７とが係止されるように装着することにより、両者を簡単かつ確実に結合できる上、係止部１３，１３がアパ−チャ部２ａに対して所定の位置関係を有することからインナ−キャップ１２に結合されたアウタ−キャップ１５の係止溝１８，１８もアパ−チャ部２ａに対して所定の位置関係が付与される。従って、原稿照射装置の取り付け部材に希ガス放電灯装置のアウタ−キャップ１５を取り付けるだけで希ガス放電灯の光軸を合わせることができ、組み込み性を高めることができる。
【００２８】
又、アウタ−キャップ１５の内部空間１６ａはインナ−キャップ１２の外形形状にほぼ一致するように構成されている上に、突起状の係止部１３，１３がほぼ直角三角形状に形成されているために、インナ−キャップ１２にアウタ−キャップ１５を装着した状態において、両キャップ間のクラアランスは小さく、しかも係止部１３，１３の背面部（直角三角形状の上りつめた部分の辺）が係止部１７，１７の孔の辺に係止される。従って、両キャップの結合関係は強固となり、使用中にアウタ−キャップ１５のアパ−チャ部２ａに対する所定の位置関係が崩れることはなく、原稿照射装置に適用した場合、安定した読み取り品位が期待できる。
【００２９】
又、希ガス放電灯のアパ−チャ部２ａの光軸方向はインナ−キャップ１２の係止部１３，１３に係止されるアウタ−キャップ１５の係止部１７，１７の位置によって任意に設定することができるために、組み込み機器の光軸がどのように設定されていても、単にアウタ−キャップ１５における係止部１７，１７の形成位置を変更するだけで容易に対応でき、組み込みが可能となる。
【００３０】
特に、外囲器１の端部にはインナ−キャップ１２が、その一端が外囲器１に嵌合するような状態で装着されている関係で、ハ−ネス１０が導出される側の開口部以外には隙間などは形成されない。このために、開口部から充填された保護部材１４のインナ−キャップ１２からの漏出を皆無にできる上、充填された保護部材１４の内部に空洞部が形成されることも防止できる。従って、保護部材１４と外囲器１の端面部分との結合強度を改善できる上、空洞部に起因する端子間での絶縁破壊の発生を抑制できる。その上、空洞部が形成されにくいことから、仮にハ−ネス１０に外力（例えば引張力）が作用しても、ハ−ネス１０と端子５Ａ，６Ａとの接続部分は保護部材１４によって確実に支持される結果、接続はずれ，端子切れなどを抑制できる。
【００３１】
又、外囲器１の端部に装着されたインナ−キャップ１２の他方の端部（非外囲器側）には開口部のみが存在しており、この開口部からはハ−ネス１０が導出されていることから、インナ−キャップ１２の内部空間への保護部材１４の充填は外囲器１を、インナ−キャップ１２の他端の開口部が上側となるようにほぼ直立に支持した状態で行うことができる。従って、保護部材１４のインナ−キャップ１２への充填作業を単純化できるのみならず、保護部材１４のインナ−キャップ１２への充填によってハ−ネス１０と端子５Ａ，６Ａとの接続部分の支持や絶縁保護を同時に行うことができ、作業能率を改善できる。
【００３２】
さらには、保護部材１４のデュロメ−タＤ硬さを８０以下、好ましくは８０〜３０の範囲に設定すれば、製造時及び使用時において、仮に外囲器１を構成するガラスバルブと保護部材１４との接触界面に不所望な応力が作用したとしても、かなりの部分が保護部材１４に吸収される。従って、保護部材１４としてシリコ−ン樹脂などの熱硬化性樹脂を用いた場合、それの熱硬化時に外囲器端面との接触界面に不所望な応力が作用したとしても、その応力が保護部材１４に吸収されるし、又、使用時に大きな温度差の生ずるようなモ−ドで作動させた場合などに不所望な応力が作用したとしても、保護部材１４に吸収されることから、外囲器端面に生ずるクラック破損を抑制でき、品位の高い製品を得ることができる。
【００３３】
図１１は本発明の第２の実施例を示すものであって、上述の第１の実施例と基本的な構成は同一である。異なる点は、インナ−キャップ１２の外周部分に凹部状（孔）の係止部１３ａを形成すると共に、アウタ−キャップ１５の本体部１６の内側に係止部１３ａに対応する突起状の係止部１７ａを一体的に形成したことである。この実施例によれば、希ガス放電灯並びに希ガス放電灯装置としても上記実施例と同様の効果が期待できる。特に、アウタ−キャップ１５の内径とインナ−キャップ１２の外径とをほぼ同一に設定すれば、アウタ−キャップ１５をインナ−キャップ１２に装着した状態において、両者はほぼ密着状態となり、両者間のガタツキを防止でき、光軸などのずれを確実に防止できる。
【００３４】
図１２は本発明にかかるアウタ−キャップの他の実施例（第３の実施例）を示すものであって、基本的には第１の実施例のアウタ−キャップと同じである。異なる点は、本体部１６の外周部分への係止部１７，１７の形成位置が反時計方向にずらしたことと、本体部１６に取付耳１９を一体的に形成したことである。この実施例によれば、希ガス放電灯の光軸を係止部１７，１７の形成位置がずれた分だけずらすことができる。又、ＯＡ機器には取付耳１９を利用して簡単に取り付けることができる。
【００３５】
図１３は本発明の第４の実施例を示すものであって、上述の第１の実施例と基本的な構成は同一である。異なる点は、端子５Ａ（６Ａ）の導出部分を、接着層９ａが内側となるように折り返して接着した折返部５Ａａ（６Ａａ）を形成し、この部分にハ−ネス１０のリ−ド部１０ａを接続手段１１を用いて圧着・接続したことである。尚、この折返部５Ａａは、同図（ｂ）に示すように、導出部分５Ａを図示矢印の方向に折り返すことによって構成される。
【００３６】
この実施例によれば、かしめ圧着部分の端子５Ａの厚みが２倍に増加されるために、接続手段１１による圧着時に、端子５Ａの折返部５Ａａからの切断を有効に防止できる。逆説的には、折返部５Ａａの形成によって導出部分の強度が向上する分、圧着強度を高めることができるために、圧着によるハ−ネス１０と端子５Ａとの接続の信頼性を一層高めることができる。
【００３７】
図１４は本発明の第５の実施例を示すものであって、第１の実施例と基本的な構成は同一である。異なる点は、端子５Ａ（６Ａ）の導出部分に透光性シ−ト４の延長部４Ａを重ね合わせたことである。この延長部４Ａは透光性シ−ト４の端部から外方に向けて端子５Ａとほぼ同程度の幅で延長されている。そして、接続手段１１のリング部分に延長部４Ａと端子５Ａとの重ね合わせ部分を挿入すると共に、ハ−ネス１０のリ−ド部１０ａを端子５Ａに重ね合わされるようにリング部分に挿入した上で、圧着工具を用いて圧着・接続される。尚、圧着に先立って、ハ−ネス１０が当接される端子部分の接着層９ａは、電気的接続の信頼性を高める上で、予め、除去しておくことが望ましい。
【００３８】
この実施例によれば、圧着接続部分の端子５Ａの厚みは、例えば１０〜１００μｍと薄いものの、その外面側に透光性シ−ト４の延長部４Ａが重ね合わされているために、それの強度が補強され、接続手段１１による圧着時に、端子５Ａからの切断を有効に防止できる。特に、透光性シ−ト４の肉厚を例えば厚い領域に設定すれば、端子５Ａに対する補強効果が向上し、充分な圧着力での圧着が可能となり、接続の信頼性も高めることができる。
【００３９】
図１５は本発明の第６の実施例を示すものであって、第５の実施例と基本的な構成は同一である。異なる点は、端子５Ａ（６Ａ）の導出部分を、接着層９ａが内側となるように折り返して接着した折返部５Ａａを形成し、この部分にハ−ネス１０のリ−ド部１０ａを接続手段１１を用いて圧着・接続したことである。尚、この折返部５Ａａは、図１３（ｂ）に示すように、導出部分５Ａを図示矢印の方向に折り返すことによって構成される。そして、接続手段１１のリング部分に延長部４Ａと端子５Ａの折返部５Ａａとの重ね合わせ部分を挿入すると共に、ハ−ネス１０のリ−ド部１０ａを折返部５Ａａに重ね合わされるようにリング部分に挿入した上で、圧着工具を用いて圧着・接続される。
【００４０】
この実施例によれば、かしめ圧着部分の厚みが、端子５Ａの折返部５Ａａと透光性シ−ト４の延長部４Ａとによって上述の各実施例に比較して格段に厚くなり、同部分の強度が一層に補強される。従って、信頼性の高い接続構体が得られるのみならず、保護部材のデュロメ−タＤ硬さが小さい領域でも、ハ−ネス１０に不所望に大きな外力が作用しても端子５Ａの切断を一層に低減できる。
【００４１】
図１６は本発明の第７の実施例を示すものであって、第１の実施例と基本的な構成は同一である。異なる点は、同図（ｂ）に示すように構成された外部電極５，６を外囲器１の外周面に図示しない接着層を利用して貼着した後に、外囲器１の外周面に一方の面に接着層を有するＰＥＴ樹脂などの透光性シ−ト４０を、外部電極５，６が被覆されるように巻回して接着したことである。
【００４２】
この実施例によれば、上述の各実施例に比較すると、機械化，作業能率の点で劣るものの、ハ−ネスと外部電極５，６との電気的な接続性については同等の改善効果が期待できる。特に、透光性シ−ト４０の巻回に先立って、外囲器１の外周面にシリコ−ンワニスなどの透光性の絶縁被膜を形成しておけば、外部電極間の絶縁耐力を改善できる。尚、この実施例に、第４〜第６の実施例に示す圧着接続構造を適用することもできる。
【００４３】
図１７は本発明の第８の実施例を示すものであって、第７の実施例と基本的な構成は同一である。異なる点は、図９（ｂ）に示すように構成された外部電極５，６を外囲器１の外周面に図示しない接着層を利用して貼着した後に、外囲器１の外周面にＰＥＴ樹脂などの熱収縮性樹脂よりなる保護チュ−ブ５０を、外部電極５，６が被覆されるように装着し、熱収縮したことである。尚、この保護チュ−ブ５０は外囲器１に装着した後、例えば１５０〜２００°Ｃ程度に加熱し、収縮させることにより外囲器１の外周面に密着される。
【００４４】
この実施例によれば、第７の実施例に比較すると、機械化，作業能率の点で若干劣るものの、ハ−ネスと外部電極５，６との電気的な接続性については同等の改善効果が期待できる。特に、透光性シ−ト４０の巻回に先立って、外囲器１の外周面にシリコ−ンワニスなどの透光性の絶縁被膜を形成しておけば、外部電極間の絶縁耐力を改善できる。尚、この実施例に、第４〜第６の実施例に示す圧着接続構造を適用することもできる。
【００４５】
尚、本発明は、何ら上記実施例にのみ制約されることなく、例えばハ−ネスと外部電極との電気的な接続は圧着端子などの圧着を利用した接続手段による他、導電性接着剤，溶着，半田付けなどの接続手段を適用することもできる。又、外部電極と電気的な接続関係を有する端子は保護部材の内部において屈曲状態で位置させる他、外部電極のほぼ延長上に位置するように配置することもできる。又インナ−キャップ及びアウタ−キャップの係止部は２個の他、１個又は３個以上にすることもできるし、アウタ−キャップの係止部の形成位置は適宜に変更できるし、アウタ−キャップの外形形状も組み込み機器との関係において任意に変更できる。さらに、希ガス放電灯はＯＡ機器にアウタ−キャップを利用することなく、組み込むこともできる。特に、外部電極の形態において、「帯状」とは全体としての形態が帯状であることを意味し、外部電極の端部に三角状，半円状，矩形状などの異形部を有するものは勿論のこと、端部でない部分に孔などが存在したり、編目状になっているものなども含まれるものとする。
【００４６】
【発明の効果】
以上のように本発明によれば、外囲器の端部に装着されたインナ−キャップには突起状ないし凹部状の係止部が形成されているために、この係止部を利用してＯＡ機器などへの組み込みを容易に行うことができるし、ＯＡ機器などへの組み込みに利用されるアウタ−キャップの装着も簡単に行うことができる。
【００４７】
又、外囲器の端部にはインナ−キャップが、それの係止部とアパ−チャ部とが所定の位置関係を有するように装着されているために、例えば原稿照射装置などに組み込む場合、それの取り付け部材に係止部を利用して取り付けることにより、アパ−チャ部の光軸を特別の調整を要することなく、自動的に所望の原稿面に合わせることができる。
【００４８】
特に、原稿照射装置などに組み込む際にアウタ−キャップを利用する場合には、それの本体部の外周部分に突起状（又は凹部状）の係止部に対応する凹部状（又は突起状）の係止部が形成されているために、インナ−キャップにアウタ−キャップをそれぞれの係止部が係止されるように装着することにより、両者を簡単かつ確実に結合できる上、インナ−キャップの係止部がアパ−チャ部に対して所定の位置関係を有することからインナ−キャップに結合されたアウタ−キャップもアパ−チャ部に対して所定の位置関係が付与される。従って、例えば原稿照射装置に希ガス放電灯装置のアウタキャップを取り付けるだけで希ガス放電灯の光軸を合わせることができ、組み込み性を高めることができる。
【００４９】
又、アウタ−キャップの内部空間はインナ−キャップの外形形状にほぼ一致するように構成されているために、インナ−キャップにアウタ−キャップを装着した状態における両キャップ間のクラアランスが小さくなって、それぞれの係止部による結合関係は強固となり、使用中にアウタ−キャップがインナ−キャップから外れたり、アパ−チャ部に対する所定の位置関係が崩れたりすることはなく、例えば原稿照射装置に適用した場合、安定した読み取り品位が期待できる。
【００５０】
さらには、希ガス放電灯のアパ−チャ部の光軸方向はインナ−キャップの係止部に係止されるアウタ−キャップの係止部の位置によって任意に設定することができるために、組み込み機器の光軸がどのように設定されていても、単にアウタ−キャップにおける係止部の形成位置を変更するだけで容易に対応でき、組み込みが可能となる。
【図面の簡単な説明】
【図１】本発明にかかる希ガス放電灯の第１の実施例を示す側断面図。
【図２】図１の横断面図。
【図３】図１のＵ−Ｕ断面図。
【図４】本発明にかかるシ−ト構体を示す図であって、同図（ａ）は展開状態を示す図、同図（ｂ）は同図（ａ）のＶ−Ｖ断面図。
【図５】本発明にかかる端子とハ−ネスとの接続手段による接続前の分解状態を示す横断面図。
【図６】外囲器の端部へのインナ−キャップの装着前の状態を示す側断面図。
【図７】インナ−キャップにアウタ−キャップを装着した状態を示す希ガス放電灯装置の要部側断面図。
【図８】図７の横断面図。
【図９】本発明にかかるアウタ−キャップの斜視図。
【図１０】図７に示す希ガス放電灯装置の原稿照射装置への適用例を示す断面図。
【図１１】本発明にかかる第２の実施例を示す要部断面図。
【図１２】本発明にかかるアウタ−キャップの実施例（第３の実施例）を示す斜視図。
【図１３】本発明にかかる希ガス放電灯の第４の実施例を示す図であって、同図（ａ）は端子とハ−ネスとの接続手段による接続状態を示す要部側断面図、同図（ｂ）は接続前の状態を示す側断面図。
【図１４】本発明にかかる希ガス放電灯の第５の実施例を示す図であって、同図（ａ）は端子とハ−ネスとの接続手段による接続状態を示す要部側断面図、同図（ｂ）は同図（ａ）の平面図。
【図１５】本発明にかかる希ガス放電灯の第６の実施例を示す図であり、端子とハ−ネスとの接続手段による接続状態を示す要部側断面図。
【図１６】本発明にかかる希ガス放電灯の第７の実施例を示す図であって、同図（ａ）は縦断面図、同図（ｂ）は同図（ａ）に示す外部電極の平面図。
【図１７】本発明にかかる希ガス放電灯の第８の実施例を示す縦断面図。
【図１８】従来の希ガス放電灯の一部破断側面図。
【図１９】図１８のＸ−Ｘ断面図。
【図２０】図１８に示す希ガス放電灯の原稿照射装置への適用例を示す断面図。
【符号の説明】
１  外囲器
２  発光層
２ａ  アパ−チャ部
３  シ−ト構体
４，４０  透光性シ−ト
４Ａ  延長部
５，６  外部電極
５Ａ，６Ａ  端子
５Ａａ  折返部
７  第１の開口部
８  第２の開口部
９，９ａ  接着層
１０  ハ−ネス
１０ａ  リ−ド部
１１  接続手段
１２  インナ−キャップ
１３，１３ａ  係止部
１４  保護部材
１５  アウタ−キャップ
１６  本体部
１６ａ  内部空間
１７，１７ａ  係止部
５０  保護チュ−ブ
【図１】
0003709283.tif 000002
【図２】
0003709283.tif 000003
【図３】
0003709283.tif 000004
【図４】
0003709283.tif 000005
【図５】
0003709283.tif 000006
【図６】
0003709283.tif 000007
【図７】
0003709283.tif 000008
【図８】
0003709283.tif 000009
【図９】
0003709283.tif 000010
【図１０】
0003709283.tif 000011
【図１１】
0003709283.tif 000012
【図１２】
0003709283.tif 000013
【図１３】
0003709283.tif 000014
【図１４】
0003709283.tif 000015
【図１５】
0003709283.tif 000016
【図１６】
0003709283.tif 000017
【図１７】
0003709283.tif 000018
【図１８】
0003709283.tif 000019
【図１９】
0003709283.tif 000020
【図２０】
0003709283.tif 000021